(57)【要約】【課題】良好なパーミングを実現し、タックルを自在に操作することができるサポートグリップの提供。【解決手段】このサポートグリップ１０は、リールシートに釣用リールの脚と共に取り付けられる。サポートグリップ１０は、アンカー５１と、カバー５２とを備える。アンカー５１は、差込片５９と連接材６０とを有する。連接材６０は、差込片５９とカバー５２とを接続する。差込片５９は、基部６１と先端部６２とを有する。先端部６２からリールシート本体の固定フードに挿入され、基部６１とリールシート本体との間に形成される隙間に釣用リールの脚が挿入される。カバー５２は、側方に張り出すように膨出している。釣人がリールシート本体、釣用リール、サポートグリップ１０を同時に握り込むことにより、釣人の手は、サポートグリップ１０のカバー５２の外周面５６に沿って当接する。【選択図】図９
2019165657.tif 000002
【特許請求の範囲】
【請求項１】
釣竿を構成するブランクが挿入される筒状を呈し、外周面に釣用リールの脚が載置されるシート面が形成されると共に、当該シート面に載置された釣用リールの脚の一方を収容保持する固定フードが形成されたリールシート本体と、当該リールシート本体に螺合され、上記脚の他方を収容保持し、上記固定フードと協働して上記脚を挟持する可動フードとを備えたリールシートに適用され、
上記脚の一方又は他方を囲繞しつつ上記固定フード又は可動フード内に挿入されるアンカーと、
当該アンカーに連結され、上記リールシート本体の側方を覆い、上記釣用リールの側面に連続するカバーとを有するサポートグリップ。
【請求項２】
上記カバーは、上記リールシート本体の側方に膨出し、釣人の手のひらが当接する凸曲面を備えている請求項１に記載のサポートグリップ。
【請求項３】
上記アンカーは、
上記固定フード又は可動フードの内周面と当接する当接面と、
上記シート面との間に上記脚の一方又は他方を収容する収容空間を形成する凹面とを備えている請求項１又は２に記載のサポートグリップ。
【発明の詳細な説明】
【技術分野】
【０００１】
この発明は、釣用リールを保持するリールシートに適用されるサポートグリップの構造に関する。
【背景技術】
【０００２】
たとえば釣竿にベイトリールが装着される場合、釣人は、リールシートをベイトリールと共に把持し、その状態で釣竿を操作する。この場合、いわゆるパーミングが非常に重要となるが、その一方、ベイトリールの外形形状が複雑であることから、良好なパーミングは一般に実現されにくく、タックルの操作が不安定となりやすい。そのため、従来、リールシートに様々な改良が加えられており（たとえば、特許文献１及び特許文献２参照）、パーミングがサポートされている。
【先行技術文献】
【特許文献】
【０００３】
【特許文献１】特許第３８６６５０９号公報
【特許文献２】特許第６０００１０７号公報
【発明の概要】
【発明が解決しようとする課題】
【０００４】
ところで、良好なパーミングとは、釣人の手がベイトリール及びリールシートの外縁に馴染んで当接すること（握り易いこと）であり、換言すれば、釣人の手のひらと、ベイトリール及びリールシートとの間に余計な隙間が形成されないことである。このことは、ベイトリールに限定されるものではなく、スピニングリールその他の仕様のリールにも当てはまる。
【０００５】
本発明はかかる背景のもとになされたものであって、その目的は、釣用リールが装着された釣竿において、良好なパーミングを実現し、タックルを自在に操作することができるサポートグリップを提供することである。
【課題を解決するための手段】
【０００６】
(1) 本発明に係るサポートグリップは、釣竿を構成するブランクが挿入される筒状を呈し、外周面に釣用リールの脚が載置されるシート面が形成されると共に、当該シート面に載置された釣用リールの脚の一方を収容保持する固定フードが形成されたリールシート本体と、当該リールシート本体に螺合され、上記脚の他方を収容保持し、上記固定フードと協働して上記脚を挟持する可動フードとを備えたリールシートに適用される。このサポートグリップは、上記脚の一方又は他方を囲繞しつつ上記固定フード又は可動フード内に挿入されるアンカーと、当該アンカーに連結され、上記リールシート本体の側方を覆い、上記釣用リールの側面に連続するカバーとを有する。
【０００７】
この構成によれば、釣人は、たとえばベイトリールをリールシートに装着する。このとき、サポートグリップがリールシート本体に取り付けられる。具体的には、アンカーが固定フード内に挿入されると共に可動フードが操作されることにより、上記アンカーと上記シート面との間でべイトリールの脚が挟み込まれる。釣人は、このリールシート本体と共にベイトリールのボディを握り込む。上記サポートグリップのカバーは、上記リールシート本体の側方を覆い且つ上記ベイトリールの側面に連続する。したがって、釣人の手が上記カバーの外周面に沿い、フルパーミングが実現される。上記ベイトリールに代えてスピニングリールが上記リールシート本体に装着された場合も、同様である。しかも、上記サポートグリップは、上記可動フードの操作によって着脱自在である。なお、上記アンカーが可動フード内に挿入される場合も前述と同様の作用を奏する。
【０００８】
(2) 上記カバーは、上記リールシート本体の側方に膨出し、釣人の手のひらが当接する凸曲面を備えているのが好ましい。
【０００９】
この構成では、釣人がリールシートと共にベイトリールを握り込んだとき、母指球から親指までが上記カバーに自然に沿うように当接する。これにより、より確実なパーミングが実現される。
【００１０】
(3) 上記アンカーは、上記固定フード又は可動フードの内周面と当接する当接面と、上記シート面との間に上記脚の一方又は他方を収容する収容空間を形成する凹面とを備えているのが好ましい。
【００１１】
この構成では、上記アンカーの当接面が固定フード（あるいは可動フード）に内側から押圧されると同時に、上記脚が上記凹面に押圧される。これにより、サポートグリップの固定と釣用リールの固定が簡単且つ迅速に行われる。
【発明の効果】
【００１２】
この発明によれば、サポートグリップは、釣用リールの取り付けと同時にリールシート本体に取り付けられ、交換も可能となる。したがって、上記カバーの外周面の形状が異なる複数のサポートグリップが予め用意されることにより、釣人の好みに応じてあるいは手にマッチするサポートグリップが装着され得る。その結果、釣用リールの種類にかかわらず容易にフルパーミングが実現され、釣人は、釣用リールが装着された釣竿を自在に操作することができる。
【図面の簡単な説明】
【００１３】
【図１】図１は、本発明の一実施形態に係るサポートグリップが装着されたリールシートの斜視図である。
【図２】図２は、本発明の一実施形態に係るサポートグリップが装着されたリールシートの斜視図である。
【図３】図３は、本発明の一実施形態に係るサポートグリップが装着されたリールシートの斜視図である。
【図４】図４は、本発明の一実施形態に係るサポートグリップが装着されたリールシートの斜視図である。
【図５】図５は、図３におけるV−矢視図である。
【図６】図６は、図５におけるVI−VI断面図である。
【図７】図７は、本発明の一実施形態に係るサポートグリップが装着されたリールシートの平面図である。
【図８】図８は、図７におけるVIII−矢視図である。
【図９】図９は、本発明の一実施形態に係るサポートグリップの斜視図である。
【図１０】図１０は、本発明の一実施形態に係るサポートグリップの平面図である。
【図１１】図１１は、本発明の一実施形態に係るサポートグリップの右側面図である。
【図１２】図１２は、本発明の一実施形態に係るサポートグリップの左側面図である。
【図１３】図１３は、本発明の一実施形態に係るサポートグリップの底面図である。
【発明を実施するための形態】
【００１４】
以下、本発明の好ましい実施形態が、適宜図面が参照されながら説明される。なお、本実施の形態は、本発明に係るサポートグリップの一態様にすぎず、本発明の要旨を変更しない範囲で実施態様が変更されてもよいことは言うまでもない。
【００１５】
＜リールシートの構成＞
【００１６】
図１及び図３は、本発明の一実施形態に係るサポートグリップ１０が装着されたリールシート１１の斜視図である。
【００１７】
同図は、リールシート本体１２に釣用リール（本実施形態ではベイトリール）１３及びサポートグリップ１０が装着された状態を示している。リールシート１１に対するサポートグリップ１０の位置がわかりやすくなるように、同図では、釣用リール１３はボディのみが表示されている。
【００１８】
リールシート１１は、既知の構造であって、リールシート本体１２及び図示されていない締付ナットを有する。リールシート本体１２は、全体として筒状を呈し、ポリアミド（ＰＡ）、ポリオキシメチレン（ＰＯＭ）のほか、炭素繊維等の繊維により強化された樹脂からなる。釣竿本体を構成するブランク１４は、リールシート本体１２の内側に軸方向１５に沿って嵌め込まれている。ブランク１４は、リールシート本体１２に対して既知の手段（たとえば接着剤）により固定される。
【００１９】
図２及び図４は、それぞれ、図１及び図３において釣用リール１３が省略された状態を示している。リールシート本体１２は、前側１６から後側１７に向かって順に、締付パイプ部１８及びリール保持部１９を有している。なお、図示されていないが、一般に、リール保持部１９の後方にリヤグリップが設けられる。これらは既知の構造であり、締付パイプ部１８及びリール保持部１９は一体的に形成されている。
【００２０】
リール保持部１９の外周面２１（本実施形態では上面）にシート面２２が形成されている。釣用リール１３の脚は、このシート面２２上に載置されるようになっている。シート面２２の後側１７に固定フード２３が設けられている。固定フード２３は、リールシート本体１２と一体的に形成されている。固定フード２３は、シート面２２の上方を覆うドーム状に形成されており、釣用リール１３の一方の脚（後側１７の脚）が固定フード２３の内部に挿入され、固定されるようになっている。
【００２１】
締付パイプ部１８の外周面に雄ネジ２０が形成されている。上記締付ナットは、既知の構造であって、ナット本体及び可動フードを備えている。ナット本体が上記雄ネジ２０と螺合する。可動フードは、ナット本体に対して回動自在に設けられている。ナット本体が上記雄ネジ２０に螺合した状態で、可動フードは、ナット本体に対して相対的に回転しつつ締付パイプ部１８に対して軸方向１５に沿ってスライドする。つまり、可動フードは、固定フード２３に対して接離する。可動フードも固定フード２３と同様にドーム状に形成されており、上記シート面２２の上方を覆うことができる。釣用リール１３の他方の脚（前側１６の脚）は、可動フードの内部に挿入されるようになっている。
【００２２】
図５は図３におけるV−矢視図、図６は、図５におけるVI−VI断面図である。
【００２３】
釣用リール１３の後側１７の脚２５が固定フード２３に挿入された状態で、ナット本体が操作される。これにより、可動フードが後側１７にスライドして固定フード２３に近接し、釣用リール１３の他方の脚２６（前側１６の脚）が可動フード内に挿入される。ナット本体が締め込まれることにより、上記脚２５、２６が固定フード２３及び可動フードによって挟持され、釣用リール１３がリールシート本体１２に固定される。
【００２４】
図２、図５及び図６が示すように、リール保持部１９の下面にトリガ２４が設けられている。このトリガ２４は、リール保持部１９に設けられており、下方に突出している。釣人は、安定したキャスティングを実現するため、パーミングに際して手をトリガ２４に掛ける。なお、トリガ２４の外形形状は既知であり、釣人の指が掛かりやすいように成形されている。もっとも、このトリガ２４は省略されてもよい。
【００２５】
＜サポートグリップの構成＞
【００２６】
図７及び図８は、それぞれ、上記サポートグリップ１０が装着されたリールシート１１の平面図、及び図７におけるVIII−矢視図である。
【００２７】
図１及び図２並びに図７及び図８が示すように、サポートグリップ１０は、釣用リール１３と共にリールシート本体１２に装着されるようになっている。本実施形態において、図中矢印２７、２８は、それぞれ左側及び右側を示し、これらの図が示すように、本実施形態では、サポートグリップ１０は、リールシート本体１２の左側２７に配置されている。
【００２８】
図９は、サポートグリップ１０の斜視図である。図１０〜図１３はそれぞれ、サポートグリップ１０の平面図、右側面図（すなわち、図９におけるXI−矢視図）、左側面図（すなわち、図９におけるXII−矢視図）及び底面図である。
【００２９】
図９〜図１３が示すように、サポートグリップ１０は、リールシート本体１２に固定されるアンカー５１と、アンカー５１に設けられたカバー５２とを有する。これらは樹脂により一体的に形成されてもよいし、別部材として構成され、両者が組み付けられてもよい。
【００３０】
カバー５２は、たとえばポリアミド（ＰＡ）、ポリオキシメチレン（ＰＯＭ）のほか、炭素繊維等の繊維により強化された樹脂からなる。図２及び図４並びに図９及び図１０が示すように、カバー５２は、薄肉の器状であり、いわゆる亀の甲羅状を呈する。図９が示すように、カバー５２の肉厚寸法Ｔは、２ｍｍ〜５ｍｍ程度に設定される。カバー５２は、上縁中央部から前側１６に向かって斜め下方に切り欠かれている。すなわち、図９、図１０及び図１２が示すように、カバー５２は、右端面５３に開口５４を有し、この開口５４に連続して左側２７に凹部５５が形成されている。
【００３１】
換言すれば、カバー５２の外周面５６は、平坦な左端面５７（特許請求の範囲に記載された「凸曲面」に相当）及び当該左端面５７の周囲に連続する湾曲面５８（特許請求の範囲に記載された「凸曲面」に相当）を有する。つまり、カバー５２の外周面５６は、リールシート本体１２の左側２７に膨出している。この膨出量は、装着される釣用リール１３の形状に対応される。図１が示すように、カバー５２は、リールシート本体１２の左側２７を覆い、釣用リール１３の側面に連続するように形成される。カバー５２がかかる形状であることによる作用効果については後述される。
【００３２】
図９〜図１３が示すように、アンカー５１は、差込片５９と、連接材６０とを有する。これらは、たとえばポリアミド（ＰＡ）、ポリオキシメチレン（ＰＯＭ）のほか、炭素繊維等の繊維により強化された樹脂からなる。差込片５９は、基部６１及び先端部６２を有する。この差込片５９は、図６が示すように、リールシート本体１２の固定フード２３の内側に挿入されるものである。本実施形態では、図９及び図１０が示すように、差込片５９の先端部６２は、略角錐状を呈し、固定フード２３に挿入しやすい形状となっている。先端部６２の外形形状は、固定フード２３に挿入しやすいものであれば、特に限定されない。
【００３３】
基部６１は、略直方体状を呈する。基部６１の左右の角部に面取り加工が施されており、当接面６６が形成されている。基部６１の下面６３に凹面６４が形成されている。この凹面６４は、上方へ湾曲した形状である。この凹面６４が形成されることにより、差込片５９が固定フード２３に挿入された状態で（図２参照）、基部６１とリールシート本体１２のシート面２２との間に収容空間６５が形成される（図６参照）。後述されるように、この収容空間６５に釣用リール１３の一方の脚２５が収容される。
【００３４】
本実施形態では、上記当接面６６の形状は、滑らかな円弧状に形成されており、固定フード２３の内周面に対応している。このため、基部６１が固定フード２３内に隙間なくぴったりと嵌め込まれるようになっている。もっとも、上記当接面６６の形状は特に限定されるものではなく、固定フード２３の内壁面形状に対応されていればよい。
【００３５】
連接材６０は、差込片５９とカバー５２とを連結するものある。本実施形態では、連接材は、丸棒部材からなり、クランク状に形成されている。この連接材６０の形状は、差込片５９とカバー５２とを連結することができれば特に限定されるものではない。ただし、連接材６０の左右方向寸法によって、カバー５２の張出量（リールシート本体１２にたいする側方オフセット量：図１参照）が決定されるため、当該寸法は、装着される釣用リールの仕様に対応して適宜設計される。
【００３６】
図９が示すように、連接材６０の一端６７が基部６１の左側に連続し、連接材６０の他端６８がカバー５２の内面に連続している。つまり、連接材６０を介してカバー５２が差込片５９に支持されている。連接材６０がカバー５２に接続される位置は、本実施形態では、釣用リール１３の仕様に対応してカバー５２の後方所定部である。ただし、連接材６０とカバー５２との接続位置も適宜設計変更され得る。
【００３７】
＜作用効果＞
【００３８】
実釣において釣人は、釣用リール１３をリールシート本体１２に装着する。このとき、サポートグリップ１０が釣用リール１３と共にリールシート本体１２に取り付けられる。具体的には、図６が示すように、アンカー５１の差込片５９（図９参照）が固定フード２３内に予め挿入されると共に、釣用リール１３の脚２５、２６がシート面２２上に載置される。その状態で可動フードが操作されることにより、差込片５９とシート面２２との間で釣用リール１３の脚２５、２６が挟み込まれる。なお、可動フードが操作されることにより、リールシート本体１２から釣用リール１３及びサポートグリップ１０が簡単に取り外される。
【００３９】
釣人は、リールシート本体１２と共に釣用リール１３のボディを握り込む（図１参照）。サポートグリップ１０のカバー５２は、図９〜図１３が示すように側方に膨出しているから、図１が示すように、リールシート本体１２の側方を覆いつつ、釣用リール１３の側面との間に余計な乃至無駄な隙間を形成することなく連続する。これにより、釣人の手がカバー５２の外周面５６に沿い、母指球から親指までがカバー５２に自然に沿うように当接する。すなわち、簡単にフルパーミングが実現される。釣人は、釣用リール１３が装着された釣竿を自在に操作することができる。
【００４０】
サポートグリップ１０は、釣用リール１３の取り付けと同時にリールシート本体１２に取り付けられ、交換も可能である。したがって、カバー５２の外周面５６の形状（左端面５７及び湾曲面５８の形状）が異なる複数のサポートグリップが予め用意されることにより、釣人の好みに応じてあるいはベイトリールにやスピニングリールその他の仕様のリールであっても手にマッチするサポートグリップが装着され得る。本実施形態では、カバー５２は左側２７に張り出しているが、右側２８に張り出すように構成することも勿論可能である。
【００４１】
本実施形態では、図９及び図６が示すように、差込片５９の基部６１の当接面６６が固定フード２３の内壁面形状に合致しているから、差込片５９は、固定フード２３に差し込まれた状態で内側から押圧される。また、差込片５９の基部６１に凹面６４が形成されているので、基部６１とリールシート本体１２のシート面２２との間に収容空間６５が形成される。上記脚２５は、この収容空間６５に挿入されると共に、上記凹面６４に押圧される。つまり、サポートグリップ１０の固定と釣用リール１３の固定が簡単且つ迅速に行うことができるという利点がある。
【００４２】
本実施形態では、サポートグリップ１０がリールシート本体１２に取り付けられる際に、アンカー５１の差込片５９（図９参照）が固定フード２３内に挿入される態様を開示しているが、上記差込片５９が上記可動フード内に挿入されてもよい。
【符号の説明】
【００４３】
１０・・・サポートグリップ
１１・・・リールシート
１２・・・リールシート本体
１３・・・釣用リール
１８・・・締付パイプ部
１９・・・リール保持部
２２・・・シート面
２３・・・固定フード
２５・・・脚
２６・・・脚
５１・・・アンカー
５２・・・カバー
５６・・・外周面
５７・・・左端面
５８・・・湾曲面
５９・・・差込片
６０・・・連接材
６１・・・基部
６２・・・先端部
６３・・・下面
６４・・・凹面
６５・・・収容空間
６６・・・当接面
６７・・・一端
６８・・・他端
【図１】
2019165657.tif 000003
【図２】
2019165657.tif 000004
【図３】
2019165657.tif 000005
【図４】
2019165657.tif 000006
【図５】
2019165657.tif 000007
【図６】
2019165657.tif 000008
【図７】
2019165657.tif 000009
【図８】
2019165657.tif 000010
【図９】
2019165657.tif 000011
【図１０】
2019165657.tif 000012
【図１１】
2019165657.tif 000013
【図１２】
2019165657.tif 000014
【図１３】
2019165657.tif 000015